(57)【要約】      （修正有）【課題】屋外で撮影された背景画像の照明状況を前景画像の撮影時に再現できるようにする情報処理装置およびプログラムを提供する。【解決手段】画像の位置、日時などの情報を取得し、これらの情報をもとに画像の撮影環境を再現するように照明を制御する。照明を設定するための情報を生成する情報処理装置であって、画像が撮影された位置と日時を取得する取得手段と、前記取得手段により取得した位置と日時に基づいて、前記照明を設定するための情報を生成する生成手段とを有する。【選択図】図９
2012175128.tif 000002
【特許請求の範囲】
【請求項１】
照明を設定するための情報を生成する情報処理装置であって、
画像が撮影された位置と日時を取得する取得手段と、
前記取得手段により取得した位置と日時に基づいて、前記照明を設定するための情報を生成する生成手段とを有することを特徴とする情報処理装置。
【請求項２】
前記情報は、前記照明の位置、光量に関する情報であることを特徴とする請求項１記載の情報処理装置。
【請求項３】
前記取得手段が取得した位置および日時の太陽の位置を取得する太陽の情報の取得手段を有し
前記生成手段は、前記太陽の情報の取得手段により取得した太陽の位置に基づいて、前記照明の位置に関する情報を生成することを特徴とする請求項１または２に記載の情報処理装置。
【請求項４】
前記取得手段が取得した位置および日時の雲量を取得する雲量の取得手段を有し、
前記生成手段は、前記雲量に基づいて、前記照明のフィルタ量に関する情報を生成することを特徴とする請求項１乃至３何れか１項に記載の照明制御装置。
【請求項５】
前記生成手段は、前記画像の被写体と前記画像の被写体に対する太陽との位置関係に基づき、前記照明の位置に関する情報を生成することを特徴とする請求項３に記載の照明制御装置。
【請求項６】
前記取得手段は更に前記画像を撮像した撮像装置の前記画像を撮像した際の向きを取得し、
前記画像の被写体と前記画像の被写体に対する太陽との位置関係を取得する位置関係の取得手段を有することを請求項５に記載の照明制御装置。
【請求項７】
前記生成手段によって生成された情報のうち少なくとも一部を用いて前記照明を制御する制御手段を更に有することを特徴とする請求項１乃至６何れか１項に記載の情報処理装置。
【請求項８】
前記生成手段によって生成された情報のうち少なくとも一部をユーザに通知する通知手段を更に有することを特徴とする請求項１乃至７何れか１項に記載の情報処理装置。
【請求項９】
前記画像は合成に用いられる背景画像であることを特徴とする請求項１乃至８何れか１項に記載の情報処理装置。
【請求項１０】
照明を設定するための情報を生成する情報処理方法であって、
画像が撮影された位置と日時を取得する取得工程と、
前記取得工程により取得した位置と日時に基づいて、前記照明を設定するための情報を生成する生成工程とを有することを特徴とする情報処理方法。
【請求項１１】
画像が撮影された位置と日時を取得する取得ステップと、
前記取得ステップにより取得した位置と日時に基づいて、前記照明を設定するための情報を生成する生成ステップとを情報処理装置に動作させるためのプログラム。
【発明の詳細な説明】
【技術分野】
【０００１】
本発明は、照明を制御する技術に関する。
【背景技術】
【０００２】
従来、事前に撮影した背景画像と、例えばスタジオで人などの被写体を撮影した前景画像を合成するクロマキー合成技術がある。このような画像合成を行う際に、背景画像と前景画像の撮影環境が異なるために合成結果が不自然になる場合がある。この合成結果が不自然になることを低減する技術として、背景画像の解析を行い、その解析結果に基づいて前景画像を画像処理する技術が提案されている（特許文献１）。また、スタジオ内で撮影する際に照明機材の位置を画像データと同時に管理することで次回撮影時の照明機材の位置合わせの手間を軽減する技術が提案されている（特許文献２）。
【先行技術文献】
【特許文献】
【０００３】
【特許文献１】特開２００９−０８９０８４号公報
【特許文献２】特開２００６−５４７０１号公報
【発明の概要】
【発明が解決しようとする課題】
【０００４】
しかしながら、前景画像を画像処理する特許文献１では、背景画像の撮影環境に合わせる際に、画像処理により撮影時に意図した画風を損ねる場合がある。したがって、撮影者は前景画像の撮影時に背景画像の撮影環境を予め認識したうえで、撮影を行うことが望まれる。また、特許文献２に記載の方法では、背景画像として使用される画像が屋外で撮影された場合、照明機材の他に太陽が照明光源として存在するため、前景画像を撮影する際に照明機材を位置合わせするだけでは背景画像の撮影環境を再現することは難しい。
【課題を解決するための手段】
【０００５】
本発明は上述した課題に鑑みてなされたものであり、屋外で撮影された背景画像の照明状況を前景画像の撮影時に再現できるようにすることを目的とする。
課題を解決するための手段として、画像が撮影された位置と日時を取得する取得手段と、前記取得手段により取得した位置と日時に基づいて、前記照明を設定するための情報を生成する生成手段とを有することを特徴とする照明を設定するための情報を生成する情報処理装置を提供する。
【発明の効果】
【０００６】
本発明によれば、画像の撮影日時、位置に基づいて、照明を制御するための情報を生成するので、屋外で撮影された画像の照明状況を再現することができる。
【図面の簡単な説明】
【０００７】
【図１】画像合成装置、照明制御装置のハード構成を示す図である。
【図２】画像合成システムの構成を示す図である。
【図３】撮像装置の機能構成を示す図である。
【図４】画像合成装置の機能構成を示す図である。
【図５】照明制御装置の機能構成を示す図である。
【図６】照明装置の機能構成を示す図である。
【図７】照明装置の概観の一例を示す図である。
【図８】画像合成装置のＵＩの一例を示す図である。
【図９】照明制御情報生成処理のフローチャートである
【図１０】画像情報の一例を示す図である。
【図１１】太陽情報の一例を示す図である。
【図１２】照明の位置の算出方法を説明する図である。
【図１３】照明の高さの出方法を説明する図である。
【図１４】画像合成システムの動作を示すフローチャートである。
【発明を実施するための形態】
【０００８】
以下、添付の図面を参照して、本発明をその好適な実施形態に基づいて詳細に説明する。なお、以下の実施形態において示す構成は一例に過ぎず、本発明は図示された構成に限定されるものではない。
【０００９】
＜実施形態１＞
本実施形態では、スタジオ内で撮像した画像と合成画像の背景となる背景画像との合成を行う画像合成システムについて説明を行う。本実施形態に係る画像合成システムの構成を図２に示す。画像合成システム２００は、撮像装置２１０、画像合成装置２２０、照明制御装置２３０、照明装置２４０により構成される。画像合成システム２００は、照明制御装置２３０に制御される照明装置２４０の照明下において、撮像装置２１０が撮像した画像と画像合成装置２２０が管理する背景画像との合成を行う。また、撮像装置２１０と画像合成装置２２０、画像合成装置２２０と照明制御装置２３０、照明制御装置２３０と照明装置２４０はそれぞれ互いに情報の通信が可能に構成されている。接続の方法は、例えば、ＵＳＢ（Ｕｎｉｖｅｒｓａｌ  Ｓｅｒｉａｌ  Ｂｕｓ）やＬＡＮ（Ｌｏｃａｌ  Ａｒｅａ  Ｎｅｔｗｏｒｋ）などの有線接続であってもよいし、無線ＬＡＮ等の無線接続であっても良い。
【００１０】
撮像装置２１０の機能構成を図３に示す。撮像部２１１は、レンズを介して入射した被写体光を撮像素子により受光し、被写体光を画像データとして生成する。撮影情報取得部２１２は、撮像装置２１０に設定されている撮影情報を取得する。ここで、撮影情報とは、絞り値、シャッタースピード、ホワイトバランス等の撮影時に設定可能なパラメータである。送信部２１３は、撮像部２１１が撮像した画像や撮影情報取得部２１２が取得した撮影情報を画像合成装置２２０に送信する。なお、送信タイミングに関しては画像合成装置２２０からの指示を受けてからでもよいし、撮像装置２１０の任意のタイミングで画像合成装置２２０へ送信してもよい。
【００１１】
画像合成装置２２０の機能構成を図４に示す。ＵＩ部２２１は、ユーザに背景画像の選択、合成画像において前景画像となる撮影した画像の確認、合成位置の指示、合成後の画像の確認を行わせるためのユーザインタフェースを作成し、表示を行う。管理部２２２は、合成画像の背景となる背景画像を予め記憶し、その管理を行う。なお、本実施形態において、管理部２２２は、管理している背景画像のそれぞれの画像情報を画像と対応づけて保持している。ここで、画像情報とは撮影日時、撮影位置、撮影方向、撮影時に用いられた撮影情報をいう。
【００１２】
送信部２２３は、管理部２２２によって管理されている背景画像の画像情報を、照明制御装置２３０に送信する。受信部２２４は、撮像装置２１０から送信された画像や撮影情報を受信する。警告部２２５は、受信部２２４が受信した撮像装置２１０に設定されている撮影情報が適切ではないと判断した場合、撮影情報が適切ではない旨の警告するための情報を生成する。また、撮像した画像の撮影情報と背景画像の撮影情報が異なる場合警告を行う。合成部２２６は選択された背景画像と撮影された前景画像とを合成し、合成画像を生成する。
【００１３】
照明制御装置２３０の機能構成を図５に示す。受信部２３１は、画像合成装置２２０より送信された画像情報を受信する。太陽情報取得部２３２は、画像情報に基づいて、背景画像が撮影された際の太陽の位置や日射量などを算出する。天候情報取得部２３３は、画像情報に基づいて、背景画像が撮影された際の天気、雲量等の天候情報を取得する。なお、太陽情報と天候情報のデータベースは照明制御装置２３０内で管理してもよいし、インターネットを利用するなどして外部装置から取得する構成としても構わない。照明制御情報算出部２３４は、太陽情報取得部２３２で算出された太陽情報と、天候情報取得部２３３で取得した天候情報に基づいて、スタジオ内の照明機材の位置や光量を算出する。そして、算出した照明機材の位置や光量に照明装置２４０を設定するための照明制御情報を生成する。送信部２３５は、照明制御情報を照明装置２４０に送信する。
照明装置２４０の機能構成を図６に示す。受信部２４１は、照明制御装置２３０から送信された照明制御情報を受信する。設定部２４２は、受信部２４１で受信した照明制御情報に基づいて、照明部２４３の位置や光量を設定する。
【００１４】
照明部２４３は、照射位置、角度、光量が設定可能な光源を有する。照明装置２４０の概観を図７に示す。本実施形態の照明装置２４０はスタジオ内の天井に配置された太陽光を疑似的に再現する太陽光照明７０１、図７（ｂ）に示す天井からつりさげ太陽光の向きを疑似的に再現する太陽位置再現照明７０２から構成される。照明制御情報算出部２３４によって算出された値に基づいて、光量を変更することができる。また、太陽光照明７０１はフィルタ有し、フィルタを通した間接光でスタジオを照明することが可能となっている。つまり、曇り等の天候を再現するような照明を行うことが可能である。同様に太陽位置再現照明７０２も光量の変更とフィルタをかけることが可能となっている。また、太陽位置再現照明７０２は可動式であり、照明方向、照明角度、照明の高さの調整が可能となっている。つまり、太陽の位置を再現した照明を行うことが出来る。
【００１５】
続いて、画像合成装置２２０、照明制御装置２３０のハード構成を図１に示す。本実施形態における画像合成装置２２０、照明制御装置２３０はそれぞれ単一の情報処理装置で実現される。なお、必要に応じた複数の情報処理装置に各機能を分散して実現するようにしてもよい。複数の情報処理装置で構成される場合は、互いに通信可能なようにＬｏｃａｌ  Ａｒｅａ  Ｎｅｔｗｏｒｋ（ＬＡＮ）などで接続さる。
【００１６】
図１において、１０１は情報処理装置１００全体を制御するＣｅｎｔｒａｌ  Ｐｒｏｃｅｓｓｉｎｇ  Ｕｎｉｔ（ＣＰＵ）である。１０２は後述する各処理や機能構成を実現するためのプログラムやパラメータを格納するＲｅａｄ  Ｏｎｌｙ  Ｍｅｍｏｒｙ（ＲＯＭ）である。１０３は外部装置などから供給されるプログラムやデータを一時記憶し、ＣＰＵ１０１のワークメモリとして動作するＲａｎｄｏｍ  Ａｃｃｅｓｓ  Ｍｅｍｏｒｙ（ＲＡＭ）である。１０４は情報処理装置１００に設置されたハードディスクやメモリカードなどの外部記憶装置である。ただし、固定あるいは着脱可能な状態でも構わない。例えば、フレキシブルディスク（ＦＤ）やＣｏｍｐａｃｔ  Ｄｉｓｋ（ＣＤ）等の光ディスク、磁気や光カード、ＩＣカード、メモリカードなどであってもよい。１０５はユーザの操作を受け、データを入力するポインティングデバイスやキーボードなどの入力デバイス１０９と接続するための入力デバイスインタフェースである。１０６は情報処理装置１００の保持するデータや供給されたデータを表示するためのモニタ１１０と接続するためのディスプレイインターフェイスである。１０７はインターネット１１１などのネットワーク回線に接続するためのネットワークインタフェイスである。１０８は１０１〜１０７の各ユニットを通信可能に接続するシステムバスである。
【００１７】
以上の構成を有する画像合成システム２００の動作について説明を行う。画像合成システム２００の動作フローを図１４に示す。Ｓ１４０１において、画像合成装置２２０は、ユーザの入力に基づいて、背景画像を選択する。ここで、画像合成装置２２０のＵＩ部２２１において、表示するＵＩの一例を図８に示す。ＵＩ部２２１は画像合成アプリケーションとして動作する。ＵＩ部２２１は、管理部２２２によって管理される合成対象となる背景画像群を、背景画像群表示領域８０１に表示する。ユーザは、背景画像群表示領域８０１から入力デバイス１０９を用いて合成対象とする背景画像を選択する。画像合成装置２２０は選択された背景画像の画像情報を管理部２２２から取得し、送信部２２３を介して照明制御装置２３０に送信する。続いて、Ｓ１４０２において、照明制御装置２３０は、選択されたＳ１４０２の背景画像の撮影環境（照明状況）を疑似的に再現するように照明装置２４０を制御するため、照明制御情報を生成する。ここで、Ｓ１４０２の詳細を図９のフローチャートに示す。
【００１８】
Ｓ９０１において、照明制御装置２３０は、画像合成装置２２０から送信された背景画像の画像情報を受信部２３１により受信し、取得する。ここで、背景画像の画像情報とは、撮影日時、撮影位置、撮影方向、情報を含む情報とする。画像情報の一例を図１０に示す。図１０において、１００１は画像情報の種別を示す項目である。図１０では、画像情報の項目として、「撮影日時」、「位置」、「撮影方向」がある。１００２は項目１００１それぞれに対する値を示している。図１０の例では、「２０１０年９月３０日１２時」に「（北緯３５．５６５４４５，東経１３９．６８１３８３）の地点で、「７０°（方位角）」の向きで撮影された画像の画像情報である。なお、本実施形態では北を０°＝３６０°として、東を９０°、南を１８０°、西を２７０°として方位を表現する。また、この画像情報は、Ｅｘｉｆ（Ｅｘｃｈａｎｇｅａｂｌｅ  Ｉｍａｇｅ  Ｆｉｌｅ  Ｆｏｒｍａｔ）データ等の画像情報と画像を共に保持する形式として提供されてもよいし、画像とは異なるデータとして当該画像と関連付けたデータとして提供されていても良い。
【００１９】
Ｓ９０２において、太陽情報取得部２３２は、背景画像の画像情報を基に、背景画像を撮影した際の太陽の位置や日射量という太陽情報を取得する。太陽情報は、日時、位置によって予め求めることができるのでテーブルとして装置が保持していてもよいし、画像情報により装置が算出して求める構成としても良い。本実施形態では、太陽情報として、背景画像の撮影日時および撮影位置での太陽方位、太陽高度、大気外日射量を取得する。図１１に太陽情報の一例を示す。１１０１は、太陽情報の種別の項目を示す。１１０２は、太陽情報の項目に対する値である。図１１に示す例は、図１０の画像情報を有する画像が撮影された際の太陽情報である。図１１の例では、図１０の画像情報有する画像が撮影された日時、位置では「１９２．２１°（方位）」の方角に「５０．９３°（高度）」の高さで「１０５８．１８（Ｗ／ｍ２）」の大気外日射量で太陽が存在することを示している。なお、大気外日射量とは、ある地点上空の大気外において、単位時間、単位面積当たり太陽からのどれだけのエネルギーを受けるかについての値である。
【００２０】
次に、Ｓ９０３において、天候情報取得部２３３は、雲量等の天候情報を取得する。天候情報取得部２３３は、過去の天候情報を保持した外部装置からインターネット等を介して、背景画像の撮影日時、撮影位置の天候情報を取得する。なお、本実施形態において天候情報は、国際気象通報式で規定された８段階の雲量を含むものとする。
【００２１】
Ｓ９０４において、照明制御情報算出部２３４は、照明装置２４０の被写体に対する位置を算出する。照明位置の算出方法を図１０に示す画像情報および図１１に示す天候情報、図１２を用いて一例を示す。図１２（ａ）は、背景画像の撮影時の撮像装置と太陽の位置関係を再現し、上空から俯瞰した際の模式図である。図１２（ａ）において、１２０１は背景画像の撮像面を模式的に表した平面である。１２０２は背景画像を撮像した撮像装置の撮像面に対する位置である。位置１２０２は、背景画像撮影時の撮像装置の向きが７０°であるので、１８０°を足した２５０°（方位）となる。１２０３は、太陽情報から求めた太陽の位置である。ここで、撮像面１２０１に対する太陽光は
背景画像を撮像した撮像装置の方位（２５０°）−太陽方位（１９２．２１°）＝５７．７９°    （１）
から入射される。したがって、スタジオ内で被照明物である被写体への太陽光入射角度を再現させるためには、被写体１２０４と撮像装置２１０を結んだ線分に対して５７．７９度の位置に太陽位置再現照明７０２を配置すればよいことになる。なお、角度は被写体を中心として半時計回りを正とする。図１２（ｂ）は、スタジオで算出した照明装置の位置を設定した際の被写体と撮像装置とを併せて示した図である。太陽位置再現照明７０２を被写体に対して図のように位置させることで、背景画像撮影時の被写体に対する太陽との位置関係を再現することが出来る。
【００２２】
次に高さの算出方法について図１３を用いて説明する。スタジオでの照明装置と被写体の距離をＤ（ｍ）、太陽高度をθ（°）、照明装置のスタジオの床からの高さをＨ（ｍ）とすると、
Ｈ＝Ｄ×ｔａｎ（θ）    （２）
としてＨを求めることが出来る。Ｄ＝３、図１０および図１１に示す値を用いて、Ｈを求めるとすると、
３×ｔａｎ（５０．９３°）≒３．７ｍとなる。したがって、太陽位置再現照明７０２の位置は、高さが床面から３．７ｍの高さ、被写体とカメラを結んだ線分に対して５７．７９°に配置すればよいこととなる。このように背景画像の画像情報や撮影時の天候情報に基づいて、照明装置の高さや被写体に対して水平面での照明装置の位置を算出することで、背景画像の照明状況を再現することができる。
【００２３】
続く、Ｓ９０５において、照明制御情報算出部２３４は、照明装置の光量、フィルタ量を算出する。ここで、照明装置２４０の最大出力光量Ｌ、背景画像の撮影時、撮影場所の大気外日射量をＰ、地球大気表面の単位面積に垂直に入射する太陽のエネルギー量（太陽定数）をＷとする。照明装置２４０の光量Ｘは、
Ｘ＝Ｌ×Ｐ／Ｗ    （３）
として求めることができる。つまり、スタジオ内での最大出力光量を太陽定数と擬制することで、撮影時、撮影場所の光量を疑似的に再現する。なお、照明装置２４０の最大出力光量Ｌは撮影者の意図した画風を反映させるため、撮影者の入力により設定する構成としても良い。
【００２４】
続いて、フィルタ量について以下で説明する。フィルタ量は、取得した背景画像撮影時の天候情報である雲量を用いて決定する。雲量は国際気象通報式で８段階規定されている。ここで、雲量をＣ、スタジオで設定できる最大フィルタ量をＱとすると、雲によって妨げられる日射を再現するためのフィルタ量Ｙは、
Ｙ＝Ｑ×Ｃ／８    （４）
として求めるとする。フィルタを雲と擬制することで、背景画像撮影時の天候を疑似的に再現する。上述のように、背景画像の太陽情報と天候情報を用いて照明装置の位置、光量、フィルタ量を規定することで、背景画像撮影時の撮影環境をスタジオ内で再現することが出来る。
【００２５】
続いて、Ｓ９０６において、照明制御情報算出部２３４は、Ｓ９０４、Ｓ９０５において決定した照明装置２４０の位置や光量を照明制御情報として生成し、送信部２３５を介して照明装置２４０に通知する。以上で、Ｓ１４０２における処理を終了する。
【００２６】
続いて、図１４に戻り、Ｓ１４０３において、照明装置２４０は、生成された照明制御情報に基づいて、照明部２４３を設定する。受信部２４１は、照明制御装置２３０から送信された照明制御情報を受信し、設定部２４２は照明制御情報に基づいて照明部２４３の光量、位置、フィルタ量等を設定する。Ｓ１４０４において、撮影者は設定された照明装置２４０の照明の下、合成画像の前景画像となる被写体の撮影を行う。ここで、撮影情報取得部２１２は、設定されている絞り、シャッタースピード等の撮影情報を取得し、送信部２１３を介して、画像合成装置２２０に送信する。画像合成装置２２０の警告部２２５は、背景画像の撮影情報と取得した撮像装置２１０に設定されている撮影情報が異なっているかを判断する。背景画像の撮影情報と取得した撮像装置２１０に設定されている撮影情報が異なっている場合、警告メッセージを生成して、撮像装置２１０に通知を行う。撮影者は、警告メッセージを参照することで、背景画像が撮影された撮影情報に設定しなおすことが出来るので、合成時により違和感をより少なくすることが出来る。
【００２７】
Ｓ１４０５において、撮像装置２１０は、前記画像を撮影した場合、撮影した画像データを送信部を介して、画像合成装置２２０に送信する。画像合成装置２２０の受信部２２４は、画像データを受信するとＵＩ部２２１に受信した画像データを渡し、Ｓ１４０１において選択された背景画像と合成を行う。図８において、撮像装置２１０で撮影された合成対象となる前景画像データは、前景画像表示領域８０４に表示される。ユーザは前景画像表示領域８０４から背景画像と合成を行う画像の選択を行う。なお、図８の８０２は、撮影情報表示部であり、背景画像の撮影情報と撮像装置２１０の設定が表示されている。警告部２２５は、背景画像の撮影情報と撮像装置２１０の設定が異なっている場合、警告メッセージを警告表示領域８０３に表示する。このように、画像合成装置を操作するオペレータに対して警告を行うことで、背景画像と撮影情報が一致した前景画像を用いた合成画像を生成することができる。したがって、より合成時の違和感を低減することが可能となる。
合成部２２６は、背景画像群表示領域８０１で選択された背景画像と、前景画像表示領域８０４で選択された前景画像の合成画像を生成し、ＵＩ部２２１は図８の合成画像表示領域８０５に生成した画像を表示する。そして、画像合成システム２００は処理を終了する。
【００２８】
以上説明したように、本実施形態では、背景画像の撮影日時、撮影場所での照明状況をスタジオ内で再現するので、撮影した画像を背景画像に合成しても違和感が低減される。また、違和感を低減するための画像処理を行う必要がないため、撮影者が意図した画風を損なうことなく合成を行うことが出来る。
【００２９】
＜実施形態２＞
実施形態１では、スタジオ内の照明装置は、光量、位置が制御可能な構成として説明を行った。しかしながら、スタジオで使用される照明装置は必ずしも光量、位置が制御可能な構成とは限らない。実施形態２では、照明制御情報の少なくとも一部をユーザに通知し、ユーザが照明装置の光量、位置を設定する形態について説明を行う。
【００３０】
実施形態１と異なる点について詳細に説明を行う。本実施形態において、照明装置２４０の設定部２４２はユーザの入力により光量を設定できるとする。また、照明装置２４０は照明制御装置２３０と接続されておらず、本実施形態において、受信部２４１は無いものとする。さらに、照明装置２４０の太陽位置再現照明７０２は可動式であるものの、照明方向、照明角度、照明の高さの調整は手動で設定可能となっている。
本実施形態における図９に示す照明制御情報生成処理について説明を行う。Ｓ９０６において、算出された照明制御情報は送信部２３５を介して、画像合成装置２２０に送信を行う。画像合成装置２２０は受信した照明制御情報をＵＩ部２２１において表示し、ユーザに対して通知する。
Ｓ１４０３において、ユーザはＵＩ部２２１を介して通知された照明制御情報を設定部２４２に入力し光量を照明装置２４０の光量を設定する。また、ユーザは照明制御情報として通知された被写体に対する照明装置の位置に基づいて、照明装置２４０を移動して照明方向、照明角度、照明の高さを設定する。
【００３１】
なお、照明装置２４０の光量、照明方向、照明角度、照明の高さ等の少なくとも一部が実施形態１のように照明制御情報により自動で制御可能である場合は手動で設定しなければならない情報のみユーザに通知する構成としてもよい。
【００３２】
以上、説明したように本実施形態では背景画像の撮影日時、撮影場所での照明状況をスタジオ内で再現できるように、照明制御情報をユーザに対して通知を行う。したがって、ユーザは通知された照明制御情報に基づき、照明装置の光量、位置を設定し、撮影を行えば撮影された画像と背景画像を合成しても違和感が低減される。また、違和感を低減するための画像処理を行う必要がないため、撮影者が意図した画風を損なうことなく合成を行うことが出来る。
【００３３】
＜その他の実施形態＞
以上、実施形態例を詳述したが、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００３４】
２３０  照明制御装置
２３１  受信部
２３２  太陽情報取得部
２３３  天候情報所得部
２３４  照明制御情報算出部
【図１】
2012175128.tif 000003
【図２】
2012175128.tif 000004
【図３】
2012175128.tif 000005
【図４】
2012175128.tif 000006
【図５】
2012175128.tif 000007
【図６】
2012175128.tif 000008
【図７】
2012175128.tif 000009
【図８】
2012175128.tif 000010
【図９】
2012175128.tif 000011
【図１０】
2012175128.tif 000012
【図１１】
2012175128.tif 000013
【図１２】
2012175128.tif 000014
【図１３】
2012175128.tif 000015
【図１４】
2012175128.tif 000016